(57)【要約】【課題】負荷の浮遊容量のバラツキに対して輝度の偏りがないように複数本の放電灯を点灯させる。【解決手段】複数の直列接続された放電管１ａ，１ｂと、共通の１次巻線１１及び２個の２次巻線１２（１），１２（２）を有する電磁トランスＴとを備えた放電灯点灯装置にあって、電磁トランスの一方の２次巻線の高圧端子に、複数の直列接続された放電管の一方の空き電極を接続し、電磁トランスの他方の２次巻線の高圧端子に、複数の直列接続された放電管の他方の空き電極を接続し、２個の２次巻線の低圧端子それぞれを接地し、２個の２次巻線の高圧端子それぞれに互いに反転位相の電圧を印加する構成にし、磁気回路を１つにすることで、負荷の浮遊容量のバラツキがあっても輝度（ランプ電流）の偏りの発生を防止し、直下型のバックライトとして使用するときに画面上の輝度ムラをなくす。【選択図】      図１
2004335422.tif 000002
【特許請求の範囲】
【請求項１】
複数の直列接続された放電管と、共通の１次巻線及び２個の２次巻線を有する電磁トランスとを備えた放電灯点灯装置であって、
前記電磁トランスの一方の２次巻線の高圧端子に、前記複数の直列接続された放電管の一方の空き電極を接続し、前記電磁トランスの他方の２次巻線の高圧端子に、前記複数の直列接続された放電管の他方の空き電極を接続し、前記２個の２次巻線の低圧端子それぞれを接地し、
前記２個の２次巻線の高圧端子それぞれに互いに反転位相の電圧を印加するようにしたことを特徴とする放電灯点灯装置。
【請求項２】
屈曲した放電管と、共通の１次巻線及び２個の２次巻線を有する電磁トランスとを備えた放電灯点灯装置であって、
前記電磁トランスの一方の２次巻線の高圧端子に、前記放電管の一方の電極を接続し、前記電磁トランスの他方の２次巻線の高圧端子に、前記放電管の他方の電極を接続し、前記２個の２次巻線の低圧端子それぞれを接地し、
前記２個の２次巻線の高圧端子それぞれに互いに反転位相の電圧を印加するようにしたことを特徴とする放電灯点灯装置。
【発明の詳細な説明】
【０００１】
【発明の属する技術分野】
本発明は、放電灯点灯装置に関する。
【０００２】
【従来の技術】
従来、液晶モニタ、液晶テレビジョン等の直下型バックライトとして使用される複数の放電灯を有する放電灯点灯装置では、図６、図７に示す回路構成であった。すなわち、２本の放電灯１ａ，１ｂを点灯させるために、この２本の放電灯１ａ，１ｂを直列接続し、１次巻線２と２次巻線３とで構成される電磁トランスＴ１，Ｔ２を２個使用し、これらの電磁トランスＴ１，Ｔ２の２次巻線３，３それぞれの低圧端子同士を２本の放電灯１ａ，１ｂそれぞれの低圧側電極と共に接地し、各電磁トランスＴ１，Ｔ２の２次巻線３，３それぞれの高圧端子を放電灯１ａ，１ｂそれぞれの高圧側電極に接続している。そして各電磁トランスＴ１，Ｔ２の１次巻線２，２は高周波電源５に対して反転位相となるように接続し、各２次巻線３，３の高圧端子側に逆位相の出力があるように接続している。
【０００３】
また、従来の放電灯点灯装置として図８に示すように、接地回路構成を簡略化するために、２個の電磁トランスＴ１，Ｔ２の２次巻線３，３の低圧端子同士を接地し、直列接続された放電灯１ａ，１ｂについてはその低圧側電極間は単に接続しただけで、接地しない構成のも知られている。さらには、図９に示すように、２本の放電灯１ａ，１ｂに代えてＵ字型の屈曲管１０を採用し、図８に示した放電灯点灯装置と同様に、２個の電磁トランスＴ１，Ｔ２の２次巻線３，３の低圧端子同士を接地し、屈曲管１０の両電極それぞれを２次巻線３，３の高圧端子それぞれに接続した構成のものも知られている。
【０００４】
【特許文献１】
特許第３２９３５９２号公報
【０００５】
【発明が解決しようとする課題】
ところが、このような従来の放電灯点灯装置では各放電灯の電磁トランスが独立しているため、負荷の浮遊容量等のバラツキにより輝度（ランプ電流）の偏りが発生し、直下型のバックライトとして使用するときに画面上の輝度ムラとなる問題点があった。
【０００６】
本発明はこのような従来の技術的課題に鑑みてなされたもので、負荷の浮遊容量のバラツキに対して輝度の偏りがないように複数本の放電灯を点灯させることができる放電灯点灯装置を提供することを目的とする。
【０００７】
【課題を解決するための手段】
請求項１の発明は、複数の直列接続された放電管と、共通の１次巻線と、共通の１次巻線及び２個の２次巻線を有する電磁トランスとを備えた放電灯点灯装置であって、前記電磁トランスの一方の２次巻線の高圧端子に、前記複数の直列接続された放電管の一方の空き電極を接続し、前記電磁トランスの他方の２次巻線の高圧端子に、前記複数の直列接続された放電管の他方の空き電極を接続し、前記２個の２次巻線の低圧端子それぞれを接地し、前記２個の２次巻線の高圧端子それぞれに互いに反転位相の電圧を印加するようにしたことを特徴とするものである。
【０００８】
請求項１の発明の放電灯点灯装置では、磁気回路を１つにすることで、負荷の浮遊容量のバラツキがあって２次巻線の一方に変動が発生すれば他方もほぼ同時に同様の変動を起こし、輝度（ランプ電流）の偏りの発生を防止し、直下型のバックライトとして使用するときに画面上の輝度ムラをなくすことができる。
【０００９】
請求項２の発明は、屈曲した放電管と、共通の１次巻線及び２個の２次巻線を有する電磁トランスとを備えた放電灯点灯装置であって、前記電磁トランスの一方の２次巻線の高圧端子に、前記放電管の一方の電極に接続し、前記電磁トランスの他方の２次巻線の高圧端子に、前記放電管の他方の電極に接続し、前記２個の２次巻線の低圧端子それぞれを接地し、前記２個の２次巻線の高圧端子それぞれに互いに反転位相の電圧を印加するようにしたことを特徴とするものである。
【００１０】
請求項２の発明の放電灯点灯装置では、磁気回路を１つにすることで、負荷の浮遊容量のバラツキがあって２次巻線の一方に変動が発生すれば他方もほぼ同時に同様の変動を起こし、屈曲した放電管の一端と他端とで輝度（ランプ電流）の偏りの発生を防止し、直下型のバックライトとして使用するときに画面上の輝度ムラをなくすことができる。
【００１１】
【発明の実施の形態】
以下、本発明の実施の形態を図に基づいて詳説する。
【００１２】
＜第１の実施の形態＞本発明の第１の実施の形態の放電灯点灯装置について、図１及び図２を用いて説明する。本実施の形態の放電灯点灯装置は、共通の１次巻線１１と２つの２次巻線１２（１），１２（２）、高周波電源回路５に対するベース巻線となる３次巻線１３から構成される電磁トランスＴを使用している。
【００１３】
２本の放電灯１ａ，１ｂを点灯させるために、この２本の放電灯１ａ，１ｂそれぞれの低圧側電極を直列接続し、電磁トランスＴの２次巻線１２（１），１２（２）の低圧端子同士を接地し、電磁トランスＴの２次巻線１２（１），１２（２）それぞれの高圧端子を放電灯１ａ，１ｂそれぞれの高圧側電極に接続している。そして電磁トランスＴの１次巻線１１を高周波電源５に対して接続し、各２次巻線１２（１），１２（２）の高圧端子側に互いに反転位相の出力があるように接続している。
【００１４】
これにより第１の実施の形態の放電灯点灯装置では、電磁トランスＴの共通の１次巻線１１に高周波電源５を接続することにより、一方の２次巻線１２（１）から高圧波形を発生させ、他方の２次巻線１２（２）からは位相反転された高圧波形を発生させ、それぞれを２本の放電灯１ａ，１ｂそれぞれの高圧側電極に印加することで両放電灯１ａ，１ｂを同時に点灯させる。
【００１５】
この放電灯１ａ，１ｂの点灯時には、図１に示すように両放電灯１ａ，１ｂの高圧側電極に互いに反転位相の高周波電圧が印加される。負荷の浮遊容量のバラツキで２次巻線１２（１），１２（２）の高圧側にアンバランスが生じようとしても、電磁トランスＴの磁気回路が共通であるために一方のランプ電流が変動すると他方も同様に変動し、同時にランプ電流が変動し、その結果として同一の輝度を維持することができる。したがって、本実施の形態の放電灯点灯装置を直下型のバックライトとして使用するときに画面上に輝度ムラを発生させることが無く、均一な輝度の照明ができる。
【００１６】
＜第２の実施の形態＞次に、本発明の第２の実施の形態の放電灯点灯装置について、図３を用いて説明する。第２の実施の形態の放電灯点灯装置は、電磁トランスＴの構成は第１の実施の形態と同様である。そして、放電灯としてＵ字屈曲管１０を用い、その両端の電極を電磁トランスＴの互いに反転位相の高電圧高周波を出力する２次巻線１２（１），１２（２）の高圧側端子それぞれに接続している。
【００１７】
この第２の実施の形態の放電灯点灯装置でも、電磁トランスＴの共通の１次巻線１１に高周波電源５を接続することにより、一方の２次巻線１２（１）から高圧波形を発生させ、他方の２次巻線１２（２）からは位相反転された高圧波形を発生させ、それぞれを２本の屈曲管１０の両電極それぞれに印加することで放電点灯させる。
【００１８】
この屈曲管１０の点灯時には、図３に示すように両電極に互いに反転位相の高周波電圧が印加され、負荷の浮遊容量のバラツキで２次巻線１２（１），１２（２）の高圧側にアンバランスが生じようとしても、電磁トランスＴの磁気回路が共通であるために一方のランプ電流が変動すると他方も同様に変動し、同時にランプ電流が変動し、その結果として屈曲管１０の両側の輝度を同一に維持することができる。したがって、本実施の形態の放電灯点灯装置を直下型のバックライトとして使用するときにも画面上に輝度ムラを発生させることがなく、均一な輝度の照明ができる。
【００１９】
なお、屈曲管放電灯１０の電源回路側の出力電極への接続構造は、図４の構造にすることが好ましい。この図４において、２１は放電灯点灯装置の電源装置の筐体に収容される基板であり、この基板２１の高電圧高周波出力部にランド２２（１），２２（２）を設けてある。他方、屈曲管放電灯１０の両電極から引き出し線２３（１），２３（２）が同一方向に引き出してある。そして電源装置に対する屈曲管放電灯１０の接続に際しては、筐体２１のランド２２（１），２２（２）それぞれに対して屈曲管放電灯１０の両引き出し線２３（１），２３（２）それぞれをハンダ付けのような方法で接続し、ワイヤーハーネスを利用しないようにする。
【００２０】
これによって、図５に示したようなワイヤーハーネス２４を利用した接続構成に対して、ワイヤーハーネス２４からのリーク電流をなくして電力の伝達効率の減少を抑えることができる。また、ワイヤーハーネス周辺の浮遊容量の差により生じていた放電灯１０の電極間での点灯電流値の差を抑えることができる。さらには、ワイヤーハーネス２４、ハウジング２５、コネクタ２６、絶縁チューブ２７等の部品を削減できてコストダウンも図れる。
【００２１】
【発明の効果】
以上のように請求項１の発明によれば、磁気回路を１つにすることで、負荷の浮遊容量のバラツキがあって２次巻線の一方に変動が発生すれば他方もほぼ同時に同様の変動を起こし、輝度（ランプ電流）の偏りの発生を防止し、直下型のバックライトとして使用するときに画面上の輝度ムラをなくすことができる。
【００２２】
請求項２の発明によれば、磁気回路を１つにすることで、負荷の浮遊容量のバラツキがあって２次巻線の一方に変動が発生すれば他方もほぼ同時に同様の変動を起こし、屈曲した放電管の一端と他端とで輝度（ランプ電流）の偏りの発生を防止し、直下型のバックライトとして使用するときに画面上の輝度ムラをなくすことができる。
【図面の簡単な説明】
【図１】本発明の第１の実施の形態の回路ブロック図。
【図２】第１の実施の形態の回路図。
【図３】本発明の第２の実施の形態の回路ブロック図。
【図４】第２の実施の形態における屈曲管放電灯の電源装置筐体に対する接続構造を示す正面図。
【図５】第２の実施の形態における屈曲管放電灯の電源装置筐体に対するワイヤーハーネスを使用する接続構造を示す正面図。
【図６】従来例の回路ブロック図。
【図７】従来例の回路図。
【図８】他の従来例の回路ブロック図。
【図９】さらに他の従来例の回路ブロック図。
【符号の説明】
１ａ，１ｂ  放電灯
５  高周波電源
１０  屈曲管（放電灯）
１１  １次巻線
１２（１），１２（２）  ２次巻線
Ｔ  電磁トランス
【図１】
2004335422.tif 000003
【図２】
2004335422.tif 000004
【図３】
2004335422.tif 000005
【図４】
2004335422.tif 000006
【図５】
2004335422.tif 000007
【図６】
2004335422.tif 000008
【図７】
2004335422.tif 000009
【図８】
2004335422.tif 000010
【図９】
2004335422.tif 000011